(57)【要約】【課題】小型化しても熱劣化が生じにくい照明装置を提供すること。【解決手段】照明装置１が、フィン１１を有するベース１０、ベース１０に固定され、基板及び１以上の発光素子を含む光源モジュール、光源モジュールから出射された光の少なくとも一部をＸ方向前側に反射させるリフレクタ、及びリフレクタからの光を光照射側に投影する投影レンズを備える。フィン１１は、Ｚ方向に関してベース１０における発光素子側とは反対側に配置される。ベース１０が、後側に行くにしたがってＺ方向のフィン１１側に移動する傾斜面を有し、基板が傾斜面に沿うように延在する。リフレクタ３０において後側に位置する端部３３の少なくとも一部が、ベース１０とＺ方向に間隔をおいて対向することで、リフレクタ３０とベース１０で発光素子が覆われている素子配置領域と、外部領域との間の空気の流動を可能にする離間部５６が、後側に設けられる。【選択図】図５
2020053304.tif 000002
【特許請求の範囲】
【請求項１】
放熱部を有するベースと、
前記ベースに固定され、基板、及びその基板に実装された１以上の発光素子を含む光源モジュールと、
前記光源モジュールから出射された光の少なくとも一部を光照射側である前後方向の前側に反射させるリフレクタと、
前記リフレクタからの光を前記光照射側に投影する投影レンズと、を備え、
前記放熱部は、高さ方向に関して前記ベースにおける前記発光素子側とは反対側に配置され、
前記ベースが、後側に行くにしたがって前記高さ方向の前記放熱部側に移動する傾斜面を有して、前記基板がその傾斜面に沿うように延在し、
前記リフレクタにおいて前記後側に位置する端部の少なくとも一部が、前記基板及び前記ベースのうちの少なくとも一方と前記高さ方向に間隔をおいて対向していることで、前記リフレクタと前記ベースで前記発光素子が覆われている素子配置領域と、外部領域との間の空気の流動を可能にする離間部が、前記後側に設けられる、照明装置。
【請求項２】
前記離間部は、前記発光素子よりも前記高さ方向の前記放熱部側に位置する、請求項１に記載の照明装置。
【請求項３】
前記放熱部が前記離間部よりも前記前側に位置する前側部分と前記離間部よりも前記後側に位置する後側部分とを有して、前記放熱部が前記前後方向に関して前記離間部を跨がるように存在する、請求項１又は２に記載の照明装置。
【請求項４】
前記放熱部が前記離間部よりも前記後側に位置する後側部分よりも高さが低い低背部を前記離間部よりも前記前側に位置する前側部分に有する、請求項１乃至３のいずれか１つに記載の照明装置。
【請求項５】
前記投影レンズの焦点面上に黒色のシェードが配置されている、請求項１乃至４のいずれか１つに記載の照明装置。
【請求項６】
前記基板における素子実装面を押圧するための押圧部と前記ベースに固定体によって固定される固定部とを有する基板支持片を備えて、前記基板が前記基板支持片を介して前記ベースに固定され、
前記固定体は、前記高さ方向から見たとき前記リフレクタに重ならない位置に配置される、請求項１乃至５のいずれか１つに記載の照明装置。
【請求項７】
前記ベースに対する前記基板支持片の相対移動の範囲を制限する相対移動制限部を有する、請求項６に記載の照明装置。
【請求項８】
前記相対移動制限部が、前記ベースにおいて前記基板支持片側に突出している突出部と、前記基板支持片において前記突出部を収容している凹部とを含む、請求項７に記載の照明装置。
【請求項９】
前記ベースは、前記基板が固定される固定面と、固定面から前記高さ方向の前記放熱側とは反対側に延びる側面を有し、
前記突出部は、前記固定面に繋がる部分と前記側面に繋がる部分とを有して、前記固定面及び側面と一体に構成される、請求項８に記載の照明装置。
【請求項１０】
前記基板は、前記高さ方向から見たとき前記リフレクタに重ならない露出部を有する、請求項１乃至９のいずれか１つに記載の照明装置。
【請求項１１】
請求項１乃至１０のいずれか１つに記載の照明装置を備える移動体。
【発明の詳細な説明】
【技術分野】
【０００１】
本開示は、照明装置と、それを備える移動体に関する。
【背景技術】
【０００２】
従来、照明装置としては、特許文献１に記載されているものがある。この照明装置は、前照灯として用いられ、光を出射する光源、光源から出射された光を反射するリフレクタ、及びリフレクタからの光を照射側に投影する投影レンズを備える。
【先行技術文献】
【特許文献】
【０００３】
【特許文献１】特開２０１８−８８３１９号公報
【発明の概要】
【発明が解決しようとする課題】
【０００４】
照明装置を小型化すると、光源で生じる熱が光源周辺に籠り易くなり、熱劣化が照明装置に起こり易くなる。
【０００５】
そこで、本開示の目的は、照明装置を小型化しても熱劣化が生じにくい照明装置を提供することにある。
【課題を解決するための手段】
【０００６】
上記課題を解決するため、本開示に係る照明装置は、放熱部を有するベースと、ベースに固定され、基板、及びその基板に実装された１以上の発光素子を含む光源モジュールと、光源モジュールから出射された光の少なくとも一部を光照射側である前後方向の前側に反射させるリフレクタと、リフレクタからの光を光照射側に投影する投影レンズと、を備え、放熱部は、高さ方向に関してベースにおける発光素子側とは反対側に配置され、ベースが、後側に行くにしたがって高さ方向の放熱部側に移動する傾斜面を有して、基板がその傾斜面に沿うように延在し、リフレクタにおいて後側に位置する端部の少なくとも一部が、基板及びベースのうちの少なくとも一方と高さ方向に間隔をおいて対向していることで、リフレクタとベースで発光素子が覆われている素子配置領域と、外部領域との間の空気の流動を可能にする離間部が、後側に設けられる。
【発明の効果】
【０００７】
本開示によれば、小型化しても熱劣化が生じにくい照明装置を実現できる。
【図面の簡単な説明】
【０００８】
【図１】本開示の一実施形態に係る照明装置の主要部の斜視図である。
【図２】上記主要部からリフレクタ及び投影レンズ等を取り外したアッセンブリを示す斜視図である。
【図３】上記主要部を、図１に示す斜視図と異なる角度から見たときの斜視図である。
【図４】図１のＡ−Ａ線模式断面図の一部を示す模式図であり、発光素子、リフレクタの上面、シェード、及び投影レンズの位置関係を表す模式図である。
【図５】上記照明装置を後側から見たときの斜視図である。
【図６】図２に示すアッセンブリを斜め下から見たときの斜視図である。
【図７】上記アッセンブリを真下から見たときの平面図である。
【図８】上記主要部を下側から見たときの平面図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、図面及び以下の説明において、Ｘ方向は、照明装置１の前後方向を示し、Ｙ方向は、照明装置１の幅方向を示し、Ｚ方向は、照明装置の高さ方向を示す。また、照明装置１の光出射側を、Ｘ方向の前側とし、Ｘ方向の光出射側とは反対側を、Ｘ方向の後側とする。Ｘ方向、Ｙ方向、及びＺ方向は、互いに直交する。また、以下で説明される構成要素のうち、最上位概念を示す独立請求項に記載されていない構成要素については、任意の構成要素であり、必須の構成要素ではない。
【００１０】
図１は、本開示の一実施形態に係る照明装置１の主要部２の斜視図であり、図２は、主要部２からリフレクタ３０及び投影レンズ５０等を取り外したアッセンブリ８０を示す斜視図である。照明装置１は、例えば、移動体の一例としての自動車（図示せず）に搭載され、自動車の前照灯として用いられる。図１に示すように、照明装置１は、ベース１０、リフレクタ（反射部材）３０、及び投影レンズ５０を備える。また、図２に示すように、照明装置１は、光源モジュール６０を備える。
【００１１】
図２に示すように、ベース１０は、Ｚ方向一方側（以下、上側という）に放熱部の一例としてのフィン１１を有し、Ｚ方向他方側（以下、下側という）に傾斜面１２を有する。傾斜面１２は、後側に行くにしたがってＺ方向のフィン１１側に移動するように傾斜する。ベース１０は、金属材料等の熱伝導率の高い材料によって構成されると好ましく、例えば、アルミダイカスト等で、フィン１１と、それ以外の部分を一体成形することで構成される。
【００１２】
光源モジュール６０は、基板６１と、基板６１に実装される１以上の発光素子６２を含む。基板６１は、例えば、プリント基板で構成される。基板６１は、如何なる硬さを有してもよく、リジット基板、フレキシブル基板、及びリジットフレキシブル基板のうちのいずれの基板で構成されてもよい。また、基板６１は、如何なる組成を有してもよく、例えば、紙フェノール基板、紙エポキシ基板、ガラスコンポジット基板、ガラスエポキシ基板、テフロン（登録商標）基板、アルミナ（セラミックス）基板、又はコンポジット基板等で構成される。
【００１３】
基板６１の上面は、ベース１０の傾斜面１２に沿うように延在し、本実施例では、傾斜面１２に当接する。基板６１は、傾斜面１２に固定される。傾斜面１２に対する基板６１の固定構造については、後で詳細に説明する。基板６１は、傾斜面１２と同様に後側に行くにしたがってＺ方向のフィン１１側に移動するように傾斜する。発光素子６２は、基板６１の下面に実装される。発光素子６２は、ＬＥＤ(light emitting diode）で構成されると好ましいが、半導体レーザ素子、有機ＥＬ（Electro Luminescence）素子、又は無機ＥＬ素子で構成されてもよい。
【００１４】
再度、図１を参照して、リフレクタ３０は、発光素子６２を覆うようにベース１０の下側に取り付けられる。リフレクタ３０は、例えば白色樹脂材料によって形成される。リフレクタ３０を構成する樹脂材料としては、ポリブチレンテレフタレート等を好適に使用できる。なお、リフレクタ３０は、アルミニウム等の金属材料によって形成されてもよく、樹脂成型品の内面にアルミニウム等の金属膜を形成したものでもよい。リフレクタ３０は、例えば、ベース１０において傾斜面１２からその法線方向に突出するピン１４（図２参照）を用いてベース１０に取り付けられる。
【００１５】
投影レンズ５０は、レンズ本体５１と、レンズ本体５１の周縁から径方向外方に広がるフランジ部５２を含む。投影レンズ５０は、例えば、アクリル、ポリカーボネート、シリコーン等の透明樹脂材料、又は、ガラス材料によって好適に構成される。フランジ部５２は、ねじ７０等を用いてベース１０の前側に固定され、その結果、投影レンズ５０が、ベース１０の前側に取り付けられる。
【００１６】
図３は、照明装置１の主要部２を、図１に示す斜視図と異なる角度から見たときの斜視図である。図３に示すように、照明装置１は、ベース１０の下側かつリフレクタ３０の前側にシェード７５を有する。シェード７５は、例えば、ベース１０の前側の下面からＺ方向下側に突出するピン１５（図２参照）を用いてベース１０の前側かつ下側に固定される。シェード７５は、投影レンズ５０の焦点面上に配置される。シェード７５は、対向車内の運転者や歩行者等が眩しくないよう、照明装置１から照射される光がカットオフラインよりも上側に照射されないようにする役割を果たす。シェード７５の表面は、黒色を有すると好ましいが、光を反射し易い銀色等でもよい。シェード７５の表面は、光の反射率を高めるために、蒸着、メッキ、スパッタリング等により金属層が形成されてもよく、研磨等により鏡面仕上げされてもよい。また、反射率を高めるために、シェード７５の表面に白色顔料を含有する白色の塗膜を設けてもよい。
【００１７】
図４は、図１のＡ−Ａ線模式断面図の一部を示す模式図であり、発光素子６２、リフレクタ３０の上面３１、シェード７５、及び投影レンズ５０の位置関係を表す模式図である。図４を参照して、リフレクタ３０の上面３１は、光の反射率を高めるために、蒸着、メッキ、スパッタリング等により金属層が形成されてもよく、研磨等により鏡面仕上げされてもよい。また、リフレクタ３０の上面３１は、反射率が高い白色顔料を含有する白色の塗膜で構成されてもよい。
【００１８】
発光素子６２から出射された光は、リフレクタ３０の上面３１で前側に反射し、前側に反射した光のうちでシェード７５の上面に到達した光が、その上面で投影レンズ５０側に反射する。光がシェード７５を経由して投影レンズ５０に入射するため、発光素子６２からの光は、主に投影レンズ５０の上側を通過し、その結果、投影レンズ５０に入射した光は、投影レンズ５０から前側におけるカットオフラインよりも下側に照射される。
【００１９】
図５は、照明装置１を後側から見たときの斜視図である。図５に示すように、本実施例では、リフレクタ３０において後側に位置する端部３３の一部が、ベース１０と高さ方向に間隔をおいて対向している。そして、リフレクタ３０とベース１０で発光素子６２が覆われている素子配置領域５５（図４参照）と、外部領域との間の空気の流動を可能にする離間部５６が、後側に設けられる。この離間部５６は、素子配置領域５５から外部へ空気を案内する通風路５７を画定する。図４に示すように、リフレクタ３０の上面３１の後側の上端３４は、発光素子６２よりも上側に位置する。その結果、離間部５６は、発光素子６２よりも高さ方向のフィン１１側に位置する。
【００２０】
図１及び図５に示すように、フィン１１は、離間部５６よりも前側に位置する前側部分１１ａと離間部５６よりも後側に位置する後側部分１１ｂとを有する。換言すると、フィン１１は、Ｘ方向に関して離間部５６を跨がるように存在する。また、フィン１１は、離間部５６よりも後側に位置する後側部分１１ｂよりも高さが低い低背部１１ｃを離間部５６よりも前側に位置する前側部分１１ａに有する。
【００２１】
次にベース１０に対する基板６１の固定構造について説明する。図６は、図２に示すアッセンブリ８０を斜め下から見たときの斜視図であり、図７は、アッセンブリ８０を真下から見たときの平面図である。図６及び図７に示すように、基板６１は、ベース１０の傾斜面１２に直接ねじ止めされるのではなく、基板支持片９０を介してベース１０に間接的にねじ止めされる。詳しくは、基板支持片９０は、押圧部９１、押圧部９１のＹ方向外側の端部からＺ方向上側に延びる連結部９３、及び連結部９３のＺ方向上側の端部からＹ方向外側に広がる固定部９２を含む。押圧部９１、固定部９２、及び連結部９３の夫々は、平板部で構成され、押圧部９１と固定部９２は、略平行な状態となっている。
【００２２】
固定部９２には、ねじ孔６９（図８参照）が設けられる。固定体の一例としてのねじ５９をねじ孔６９及び傾斜面１２に設けられたねじ孔（図示せず）に締め込んで、固定部９２を傾斜面１２に締め付けると、押圧部９１が基板６１を傾斜面１２側に押圧し、基板６１が傾斜面１２に固定される。図６及び図７に示すように、照明装置１は、２つの基板支持片９０を有し、２つの基板支持片９０は、基板６１のＹ方向の両側に配置される。その結果、基板６１のＹ方向位置を正確に位置決めできる。
【００２３】
照明装置１は、ベース１０に対する基板支持片９０の相対移動の範囲を制限する相対移動制限部７６を有する。相対移動制限部７６は、ベース１０において基板支持片９０側に突出している突出部７７と、基板支持片９０において突出部７７を収容している凹部７８とを含む。また、ベース１０は、基板６１が固定される固定面を構成する傾斜面１２と、傾斜面１２からＺ方向下側（Ｚ方向のフィン１１側とは反対側）に延びる側面１９を有する。図６に示すように、突出部７７は、傾斜面１２に繋がる部分と側面１９に繋がる部分とを有して、傾斜面１２及び側面１９と一体に構成される。
【００２４】
図８は、上記主要部２を下側から見たときの平面図である。図７及び図８に示すように、固定体としてのねじ５９は、Ｚ方向から見たときリフレクタ３０に重ならない位置に配置される。また、図８に示すように、基板６１は、Ｚ方向から見たときリフレクタ３０に重ならない露出部６１ａを有している。
【００２５】
以上、照明装置１は、フィン（放熱部）１１を有するベース１０と、ベース１０に固定され、基板６１及びその基板６１に実装された１以上の発光素子６２を含む光源モジュール６０を備える。また、照明装置１は、光源モジュール６０から出射された光の少なくとも一部を光照射側であるＸ方向（前後方向）の前側に反射させるリフレクタ３０と、リフレクタ３０からの光を光照射側に投影する投影レンズ５０を備える。また、フィン１１は、Ｚ方向（高さ方向）に関してベース１０における発光素子６２側とは反対側に配置される。また、ベース１０が、後側に行くにしたがってＺ方向のフィン１１側に移動する傾斜面１２を有し、基板６１は傾斜面１２に沿うように延在する。また、リフレクタ３０において後側に位置する端部３３の少なくとも一部が、ベース１０とＺ方向に間隔をおいて対向する。その結果、リフレクタ３０とベース１０で発光素子６２が覆われている素子配置領域５５と、外部領域との間の空気の流動を可能にする離間部５６が、後側に設けられる。
【００２６】
したがって、発光素子６２で生じた熱を、離間部５６を介して外側領域に放出できる。更には、基板６１が固定される傾斜面１２が後側に行くにしたがって上側に移動し、離間部５６が後側に配置される。その結果、煙突効果により上側に上昇し易い高温の空気を、傾斜面１２及び基板６１の下面で離間部５６側に案内でき、離間部５６から効率的に放出できる。よって、照明装置１が小型化して、素子配置領域５５が狭くなったとしても、発光素子６２で生じた熱を、効率的に外部に放熱でき、照明装置１、特にリフレクタ３０の熱劣化を抑制できる。更には、小型化に伴って高精度が要求されるリフレクタ３０の過度な熱膨張を抑制できるので、リフレクタ３０の膨張に起因して生じる所望の照射範囲からの実際の照射範囲の位置ずれも抑制できる。
【００２７】
また、離間部５６は、発光素子６２よりもＺ方向のフィン１１側に位置してもよい。
【００２８】
本構成によれば、煙突効果で上側に上昇し易い高温の空気を、傾斜面１２及び基板６１の下面で更に円滑に離間部５６側に案内できる。したがって、発光素子６２で生じた熱を、更に効率的に外部に放熱できる。更には、発光素子６２で生じた熱を後方に伝導させ易くなるので、より高精度が要求されるリフレクタ３０の前方側の形状の膨張を効果的に抑制できる。なお、本構成は採用されると好ましいが、必ずしも採用される必要はなく、離間部は、発光素子よりも高さ方向の放熱側とは反対側に位置してもよい。
【００２９】
また、フィン１１が離間部５６よりも前側に位置する前側部分１１ａと離間部５６よりも後側に位置する後側部分１１ｂとを有して、フィン１１がＸ方向に関して離間部５６を跨がるように存在してもよい。
【００３０】
上記構成によれば、フィン１１を有するベース１０のＸ方向長さが長いので、離間部５６を通過する高温の空気をベース１０に接触させ易くなる。したがって、煙突効果により離間部５６側に移動した熱を、外部に直接放熱できるだけでなく、ベース１０のフィン１１側にも効率的に伝導させることができ、フィン１１を介して外部に効率的に放熱することもできる。よって、放熱効果を更に向上させることができる。なお、本構成は採用されると好ましいが、必ずしも採用される必要はなく、放熱部は前後方向に関して離間部を跨がるように存在しなくてもよい。
【００３１】
また、フィン１１が離間部５６よりも後側に位置する後側部分１１ｂよりも高さが低い低背部１１ｃを離間部５６よりも前側に位置する前側部分１１ａに有してもよい。
【００３２】
上記構成によれば、前側部分１１ａに位置するフィン１１の表面積が、後側部分１１ｂに位置するフィン１１の表面積よりも小さくなり、後側部分１１ｂから放出される熱量が、前側部分１１ａから放出される熱量よりも大きくなる。そして、照明装置上側領域における後側の温度が、照明装置上側領域における前側の温度よりも高くなり易く、照明装置上側領域で後側から前側への気流が生じ易い。したがって、この気流が後側部分１１ｂから熱を奪い易く、その結果、後側部分１１ｂの放熱効果が高くなり易い。よって、この気流によって煙突効果で高くなり易い後側の放熱効果を向上でき、更に効果的な熱の放熱を実現できる。
【００３３】
なお、本構成は採用されると好ましいが、必ずしも採用される必要はない。詳しくは、放熱部は離間部よりも後側に位置する後側部分よりも高さが低い低背部を離間部よりも前側に位置する前側部分に有さなくてもよく、前側部分の放熱部の高さは、後側部分の放熱部の高さと同一でもよく、後側部分の放熱部の高さよりも高くてもよい。
【００３４】
また、投影レンズ５０の焦点面上に黒色のシェード７５が配置されてもよい。
【００３５】
本構成によれば、シェード７５の上面以外の部分に到達した光をシェード７５で吸収し易くなる。したがって、シェード７５の上面以外の部分等で乱反射してカットオフラインよりも上側に照射される光を低減でき、歩行者や対向車内の人に眩しさを感じさせる光の出射を抑制できる。
【００３６】
また、照明装置１は、基板６１における素子実装面（下面）を押圧するための押圧部９１とベース１０にねじ５９によって固定される固定部９２とを有する基板支持片９０を備えてもよく、基板６１が基板支持片９０を介してベース１０に固定されてもよい。また、ねじ５９は、Ｚ方向から見たときリフレクタ３０に重ならない位置に配置されてもよい。また、基板６１も、Ｚ方向から見たときリフレクタ３０に重ならない露出部６１ａを有してもよい。
【００３７】
基板における固定位置の所望位置からの位置ずれは、所望の照射領域からの実際の照射領域の位置ずれを引き起こす。ここで、基板の位置ずれが引き起こす照射光の位置ずれの大きさは、照明装置が小型化されるにしたがって大きくなる。したがって、照明装置が小型化されるにしたがって基板を精度高く位置決めする必要がある。
【００３８】
上記構成によれば、基板６１が、基板支持片９０を介してベース１０に固定され、直接ベース１０に固定されることがない。したがって、ねじを用いて基板をベースに直接締め込む場合との比較で基板６１がねじ締めのトルクの影響を受けにくく、基板６１を高精度にベース１０に固定し易くなる。
【００３９】
更には、Ｚ方向から見たとき、ねじ５９がリフレクタ３０に重ならず、基板６１もリフレクタ３０に重ならない露出部６１ａを有する。したがって、リフレクタ３０を外すことなく、ねじ５９を緩めた状態で基板６１を手や冶具で正確な位置に移動させ易く、基板６１が正確な位置に移動した状態で基板６１にトルクをかけずにねじ締めし易い。よって、基板６１を正確な位置に固定するのに、リフレクタ３０の着脱を行う必要がなく、基板６１を正確な位置へ固定する際の作業性を良好なものにできる。
【００４０】
なお、本構成は採用されると好ましいが、必ずしも採用される必要はない。詳しくは、基板が、ベースに直接ねじ止めされる構成でもよい。また、高さ方向から見たとき、ねじがリフレクタに重なる位置に存在してもよく、基板がリフレクタ３０に重ならない露出部を有さなくてもよい。
【００４１】
また、照明装置１は、ベース１０に対する基板支持片９０の相対移動の範囲を制限する相対移動制限部７６を有してもよい。
【００４２】
上記構成によれば、基板支持片９０をねじ５９でベース１０に締め付けている間の基板支持片９０の移動を制限できる。よって、ねじ５９の締め込みの際に基板支持片９０が基板６１に付与するトルクを更に小さくでき、基板６１を更に高精度に位置決めし易くなる。なお、本構成は採用されると好ましいが、必ずしも採用される必要はなく、照明装置は、ベースに対する基板支持片の相対移動の範囲を制限する相対移動制限部を有さなくてもよい。
【００４３】
また、相対移動制限部７６が、ベース１０において基板支持片９０側に突出している突出部７７と、基板支持片９０において突出部７７を収容している凹部７８とを含んでもよい。
【００４４】
上記構成によれば、相対移動制限部７６を簡単安価に構成できる。なお、本構成は採用されると好ましいが、必ずしも採用される必要はない。例えば、基板支持片がベース側に突出する突出部を有し、ベースが基板支持片の当該突出部を収容する凹部を有してもよい。
【００４５】
また、ベース１０は、基板６１が固定される傾斜面（固定面）１２と、傾斜面１２からＺ方向のフィン１１側とは反対側に延びる側面１９を有してもよい。また、突出部７７は、傾斜面１２に繋がる部分と側面１９に繋がる部分とを有して、傾斜面１２及び側面１９と一体に構成されてもよい。
【００４６】
上記構成によれば、突出部７７を簡単安価に形成できると共に、突出部７７の剛性を高くできる。なお、本構成は採用されると好ましいが、必ずしも採用される必要はなく、突出部は、傾斜面と側面のうちの一方ののみに繋がっていてもよい。
【００４７】
なお、本開示は、上記実施形態およびその変形例に限定されるものではなく、本願の特許請求の範囲に記載された事項およびその均等な範囲において種々の改良や変更が可能である。
【００４８】
例えば、上記実施形態では、離間部５６が、リフレクタ３０の後側かつ上側の端部とベース１０との間に形成される場合について説明した。しかし、離間部は、リフレクタの後側かつ上側の端部と基板との間に形成されてもよい。又は、離間部は、リフレクタの後側かつ上側の端部とベースとの間に形成される部分と、リフレクタの後側かつ上側の端部と基板との間に形成される部分とを含んでもよい。
【００４９】
また、放熱部をフィン１１で構成した。しかし、ベースを、第１材料で構成される第１部分と、第１材料よりも放熱性に優れる材料で構成される第２部分とが接合された材料で構成してもよく、第２部分を放熱部としてもよい。
【００５０】
また、照明装置１が移動体の一例としての自動車の前照灯に含まれる場合について説明した。しかし、照明装置１が含まれる前照灯は、自動車以外の如何なる四輪車、例えば、トラック、消防車、又はバス等に搭載されてもよく、又は、四輪車以外の如何なる移動体、例えば、二輪車（オードバイ）、オート三輪、又はホバークラフト等に搭載されてもよい。又は、本開示の照明装置は、移動体以外の如何なる機械や器具に搭載されてもよく、例えば、家庭や工場で使用される照明器具に搭載されてもよい。
【００５１】
なお、本開示の技術の作用効果は、照明装置が小型になればなる程、顕著かつ格別なものとなる。したがって、本開示の照明装置から電力供給線を除いた部分は、如何なる大きさでもよいものの、１０ｃｍを直径とする球内に配置できる大きさ、５ｃｍを直径とする球内に配置できる大きさ、又は３ｃｍを直径とする球内に配置できる大きさであると好ましい。又は、本開示の照明装置から電力供給線を除いた部分は、２.５ｃｍを直径とする球内に配置できる大きさ、又は２ｃｍを直径とする球内に配置できる大きさであれば更に好ましい。更には、照明装置が小型化された際、照明装置が基板支持片９０を有していれば、照明装置が離間部５６を有さなくても、所望の照射領域からの実際の照射領域のずれを小さくできるという格別かつ顕著な作用効果を有することができる。
【符号の説明】
【００５２】
１  照明装置、  １０  ベース、  １１  フィン、  １１ａ  前側部分、  １１ｂ  後側部分、  １１ｃ  低背部、  １２  傾斜面（固定面）、  １９  ベースの側面、  ３０  リフレクタ、  ５５  素子配置領域、  ３３  リフレクタにおいて後側に位置する端部、  ５０  投影レンズ、  ５６  離間部、  ５９  ねじ（固定材）、  ６０  光源モジュール、  ６１  基板、  ６１ａ  露出部、  ６２  発光素子、  ７５  シェード、  ７６  相対移動制限部、  ７７  ベースの突出部、  ７８  基板支持片の凹部、  ９０  基板支持片、  ９１、  基板支持片の押圧部、  ９２  基板支持片の固定部、  Ｘ方向  前後方向、  Ｚ方向  高さ方向。
【図１】
2020053304.tif 000003
【図２】
2020053304.tif 000004
【図３】
2020053304.tif 000005
【図４】
2020053304.tif 000006
【図５】
2020053304.tif 000007
【図６】
2020053304.tif 000008
【図７】
2020053304.tif 000009
【図８】
2020053304.tif 000010